(57)【要約】      （修正有）【課題】ベビーカー同伴者が容易にベビーカー用乗場呼びを登録することができるエレベータの運転システムを提供する。【解決手段】ベビーカー同伴者が利用するエレベータの乗場１でベビーカーの突出部に対応する高さに設けられ、ベビーカーの突出部と接触したときに、ベビーカー同伴者に対応するベビーカー用乗場呼びを登録するベビーカー用乗場釦７，８を備えた。これにより、ベビーカー同伴者は、ベビーカーの突出部で、ベビーカー用乗場釦を押圧することができ、容易にベビーカー用乗場呼びを登録することができる。【選択図】図１
2011001183.tif 000002
【特許請求の範囲】
【請求項１】
ベビーカー同伴者が利用するエレベータの乗場で前記ベビーカーの突出部に対応する高さに設けられ、前記ベビーカーの突出部と接触したときに、前記ベビーカー同伴者に対応するベビーカー用乗場呼びを登録するベビーカー用乗場釦、
を備えたことを特徴とするエレベータの運転システム。
【請求項２】
前記ベビーカー用乗場釦は、前記ベビーカーの下部前方から突出したバンパーに対応する高さに設けられたことを特徴とする請求項１記載のエレベータの運転システム。
【請求項３】
前記ベビーカー用乗場釦は、
前記乗場の出入口一側の建築壁から前記乗場手前側へ突出した第１突出壁よりも前記乗場の出入口側の前記建築壁下部に設けられ、前記ベビーカーの前記バンパーと接触することにより、上昇方向のベビーカー用乗場呼びを登録するベビーカー用上昇乗場釦と、
前記乗場の出入口他側の建築壁から前記乗場手前側へ突出した第２突出壁よりも前記乗場の出入口側の前記建築壁下部に設けられ、前記ベビーカーの前記バンパーと接触することにより、下降方向のベビーカー用乗場呼びを登録するベビーカー用下降乗場釦と、
からなることを特徴とする請求項２に記載のエレベータの運転システム。
【請求項４】
前記ベビーカー用上昇乗場釦は、前記第１突出壁よりも前記乗場の出入口側の前記建築壁下部に形成された凹部内に引っ込んで設けられ、
前記ベビーカー用下降乗場釦は、前記第２突出壁よりも前記乗場の出入口側の前記建築壁下部に形成された凹部内に引っ込んで設けられたことを特徴とする請求項３記載のエレベータの運転システム。
【請求項５】
前記第１及び第２突出壁の少なくとも一方の前記乗場手前側端部に設けられ、接触することにより、通常の乗場呼びを登録する一般用乗場釦、
を備えたことを特徴とする請求項３又は請求項４に記載のエレベータの運転システム。
【請求項６】
前記エレベータのカゴの側壁に設けられ、前記ベビーカー用乗場呼びが登録された場合に、前記カゴ内側に鏡面を露出させる意匠壁、
を備えたことを特徴とする請求項１〜請求項５のいずれかに記載のエレベータの運転システム。
【請求項７】
前記カゴの側壁に前記ベビーカーの座席位置に対応して鉛直方向に並んで設けられ、前記カゴ内側に突出した一対の手摺、
を備え、
前記意匠壁は、前記手摺の奥側で、前記カゴ内側に鏡面を有した鏡面壁と前記カゴ内側が鏡面とは異なる意匠面を有した通常壁とが鉛直方向に並んで連結されて、鉛直方向に移動自在に設けられ、通常時は、前記一対の手摺の間から、前記通常壁を前記カゴ内側に露出させ、前記ベビーカー用乗場呼びの登録時は、前記一対の手摺の間から、前記鏡面壁を前記カゴ内側に露出させることを特徴とする請求項６記載のエレベータの運転システム。
【請求項８】
前記乗場に設けられ、前記ベビーカー用乗場呼びが登録された場合に、前記ベビーカー用乗場呼びに対応したエレベータの運転に切り替わったことを知らせる表示を行う表示装置、
を備えたことを特徴とする請求項１〜請求項７のいずれかに記載のエレベータの運転システム。
【請求項９】
前記エレベータのカゴに設けられ、前記ベビーカー用乗場呼びが登録された場合に、前記ベビーカー用乗場呼びに対応したエレベータの運転に切り替わったことを報知するアナウンス装置、
を備えたことを特徴とする請求項１〜請求項８のいずれかに記載のエレベータの運転システム。
【発明の詳細な説明】
【技術分野】
【０００１】
この発明は、エレベータの運転システムに関するものである。
【背景技術】
【０００２】
従来のエレベータの運転システムにおいて、車椅子利用者と同様に、専用乗場釦やアナウンス装置を設け、一般利用者に対し、ベビーカー同伴者の乗降を知らせることで、ベビーカー同伴者の乗降を補助するものが提案されている。これにより、ベビーカー同伴者と他の利用者とが区別して認識され、利用者に対し、エレベータ側から報知する。このため、一般の利用者がスペースを譲り、ベビーカー同伴者の乗車スペースが確保される。また、これと同時に、適切な戸開閉動作を行うことにより、結果として、エレベータの運転効率が向上する(例えば、特許文献１参照)。
【先行技術文献】
【特許文献】
【０００３】
【特許文献１】特開２００４−２５０１５０号公報
【発明の概要】
【発明が解決しようとする課題】
【０００４】
しかし、特許文献１に記載のものにおいては、専用の乗場釦の操作方法は、一般の乗場釦の操作方法と同様である。即ち、ベビーカー同伴者は、小回りの利かないベビーカーを操縦したまま、専用の乗場釦を手で押圧して、ベビーカー用乗場呼びを登録する必要がある。このため、ベビーカー同伴者にとって、乗場釦の操作が面倒で、ベビーカー用乗場呼びの登録が困難であるという問題があった。
【０００５】
この発明は、上述のような課題を解決するためになされたもので、その目的は、ベビーカー同伴者が容易にベビーカー用乗場呼びを登録することができるエレベータの運転システムを提供することである。
【課題を解決するための手段】
【０００６】
この発明に係るエレベータの運転システムは、ベビーカー同伴者が利用するエレベータの乗場で前記ベビーカーの突出部に対応する高さに設けられ、前記ベビーカーの突出部と接触したときに、前記ベビーカー同伴者に対応するベビーカー用乗場呼びを登録するベビーカー用乗場釦、を備えたものである。
【発明の効果】
【０００７】
この発明によれば、ベビーカー同伴者が容易にベビーカー用乗場呼びを登録することができる。
【図面の簡単な説明】
【０００８】
【図１】この発明の実施の形態１におけるエレベータの運転システムが利用されるエレベータの乗場を斜め上方から見た斜視図である。
【図２】この発明の実施の形態１におけるエレベータの運転システムに利用されるベビーカー用乗場釦の乗場中央側から見た側面図である。
【図３】この発明の実施の形態１におけるエレベータの運転システムに利用されるベビーカー用乗場釦の横断面図である。
【図４】この発明の実施の形態１におけるエレベータの運転システムが利用されるエレベータのカゴの斜視図である。
【図５】図４の要部拡大図である。
【図６】この発明の実施の形態１におけるエレベータの運転システムの動作を説明するためのフローチャートである。
【発明を実施するための形態】
【０００９】
この発明を実施するための形態について添付の図面に従って説明する。なお、各図中、同一又は相当する部分には同一の符号を付しており、その重複説明は適宜に簡略化ないし省略する。
【００１０】
実施の形態１．
図１はこの発明の実施の形態１におけるエレベータの運転システムが利用されるエレベータの乗場を斜め上方から見た斜視図である。
図１において、１はエレベータの乗場である。この乗場１は、ベビーカー同伴者が利用するショッピングセンタ等の各階に設けられる。この乗場１の出入口には、乗場戸２が設けられる。
【００１１】
この乗場戸２は、エレベータのカゴが到着しなければ、乗場１の出入口を開放しないようになっている。これにより、乗場１の利用者が、乗場１の出入口を介して、昇降路に落下することが防止される。
【００１２】
この乗場１の出入口一側には、第１突出壁３が設けられる。この第１突出壁３は、乗場１手前側へ突出している。この第１突出壁３は、水平投影面上、乗場１手前から乗場１の出入口位置一側に向かって傾斜を持って形成され、乗場１の出入口一側の建築壁と滑らかに繋がっている。
【００１３】
これにより、顧客サービスとしてショッピングセンタが同一形状で大量に用意している専用ベビーカーを用いて乳幼児（６ヶ月〜２歳児）を同伴している利用者は、専用ベビーカーの一側部を、第１突出壁３の乗場１中央側面に沿わせることで、乗場１の出入口一側直前まで円滑に移動することができるようになっている。
【００１４】
これに対し、乗場１の出入口他側には、第２突出壁４が設けられる。この第２突出壁４も、乗場１手前側へ突出している。この第２突出壁４は、水平投影面上、乗場１手前から乗場１の出入口他側に向かって傾斜を持って形成され、乗場１の出入口他側の建築壁と滑らかに繋がっている。
【００１５】
これにより、専用ベビーカーで乳幼児を同伴している利用者は、専用ベビーカーの他側部を、第２突出壁４の乗場１中央側面に沿わせることで、乗場１の出入口他側直前まで円滑に移動することができるようになっている。
【００１６】
また、第１突出壁３の乗場１手前側端部には、一般用上昇乗場釦５が設けられる。この一般用上昇乗場釦５は、接触して押圧することにより、通常の上昇乗場呼びを登録する機能を備える。これに対し、第２突出壁４の乗場１手前側端部には、一般用下降乗場釦６が設けられる。この一般用下降乗場釦６は、接触して押圧することにより、通常の下降乗場呼びを登録する機能を備える。
【００１７】
さらに、本実施の形態においては、第１突出壁３よりも乗場１の出入口側の建築壁下部に、ベビーカー用上昇乗場釦７が設けられる。このベビーカー用上昇乗場釦７は、専用ベビーカーの突出部に対応した高さに設けられる。具体的には、ベビーカー用上昇乗場釦７は、専用ベビーカーの下部前方から突出するように設けられた安全対策用のバンパーの一側部に対応する高さに設けられる。
【００１８】
上記配置構成のベビーカー用上昇乗場釦７は、専用ベビーカーのバンパーの一側部と接触して押圧されたときに、ベビーカー同伴者に対応した上昇方向のベビーカー用乗場呼びを登録する機能を備える。このベビーカー用乗場呼びが登録されると、エレベータは、上昇方向のべビーカー運転に切り替わる構成となっている。
【００１９】
また、第２突出壁４よりも乗場１の出入口他の建築壁下部に、ベビーカー用下降乗場釦８が設けられる。このベビーカー用下降乗場釦８は、専用ベビーカーの突出部に対応した高さに設けられる。具体的には、ベビーカー用下降乗場釦８は、専用ベビーカーの下部前方から突出したバンパーの他側部に対応する高さに設けられる。
【００２０】
上記配置構成のベビーカー用下降乗場釦８は、専用ベビーカーのバンパーの他側部と接触して押圧されたときに、ベビーカー同伴者に対応した下降方向のベビーカー用乗場呼びを登録する機能を備える。このベビーカー用乗場呼びが登録されると、エレベータは、ベビーカー運転に切り替わる構成となっている。
【００２１】
加えて、第１突出壁３の上部には、表示装置９が設けられる。この表示装置９は、ベビーカー表示灯からなる。このベビーカー表示灯は、ベビーカー用乗場呼びが登録された場合に、点灯することにより、エレベータの運転がベビーカー用乗場呼びに対応したベビーカー運転に切り替わったことを知らせる表示を行う機能を備える。
【００２２】
次に、図２及び図３を用いて、ベビーカー用下降乗場釦８の構造を詳細に説明する。なお、ベビーカー用上昇乗場釦７は、ベビーカー用下降乗場釦８と対称構造のため、説明を省略する。
図２はこの発明の実施の形態１におけるエレベータの運転システムに利用されるベビーカー用乗場釦の乗場中央側から見た側面図である。図３はこの発明の実施の形態１におけるエレベータの運転システムに利用されるベビーカー用乗場釦の横断面図である。
【００２３】
図２には、乗場１の出入口他側の建築壁下部が示される。図２に示すように、建築壁下部には、乗場１手前側に開口した凹部１０が形成される。そして、この凹部１０に、ベビーカー用下降乗場釦８が引っ込むように設けられている。ここで、凹部１０下方の下側壁１１は、凹部１０上方の上側壁１２よりも突出している。
【００２４】
これにより、ベビーカー用下降乗場釦８を専用ベビーカーのバンパー以外で押圧することが困難となる。即ち、一般の利用者のいたずらや、不注意による一般の利用者の足とベビーカー用下降乗場釦８との接触が防止される。
【００２５】
また、図３に示すように、ベビーカー用下降乗場釦８の乗場１の出入口側側面は、突出壁３と同様に、乗場１手前から乗場１の出入口他側に向かって傾斜を持って形成される。ここで、ベビーカー用下降乗場釦８の乗場１の出入口側端部１３は、乗場１手前側へ突出するように、若干丸められている。即ち、ベビーカー用下降乗場釦８は、専用ベビーカーのバンパーの他側で押圧されやすい構造となっている。
【００２６】
一方、建築壁の乗場１の出入口側端部１４は、丸められず、乗場１の出入口へ円滑に繋がっている。これにより、専用ベビーカーの他側が、建築壁に引っ掛からずに、乗場１の出入口へ案内される構成となっている。
【００２７】
次に、図４及び図５を用いて、エレベータのカゴ内の構造を説明する。
図４はこの発明の実施の形態１におけるエレベータの運転システムが利用されるエレベータのカゴの斜視図である。図５は図４の要部拡大図である。
【００２８】
図４において、１５はアナウンス装置である。このアナウンス装置１５は、カゴの出入口の上部一角部に設けられる。このアナウンス装置１５は、ベビーカー用乗場呼びが登録された場合に、エレベータの運転がベビーカー運転に切り替わったことを報知する機能を備える。例えば、アナウンス装置１５は、「ベビーカー運転となりました。カゴ壁から離れてください。」とアナウンスする。
【００２９】
１６は手摺である。これらの手摺１６は、カゴ内の両側のカゴ側壁にそれぞれ一対設けられる。具体的には、これらの手摺１６は、カゴ側壁の略全幅に渡って、専用ベビーカーの座席位置に対応して鉛直方向に並んで設けられる。１７は意匠壁である。これらの意匠壁１７は、手摺１６の奥側で、カゴ側壁の略全幅に渡って形成される。これらの意匠壁１７は、鉛直方向に移動自在に設けられる。
【００３０】
また、カゴの天井上面中央には、意匠壁駆動装置１８が設けられる。この意匠壁駆動装置１８は、ワイヤを介して、両意匠壁１７を吊持している。この意匠壁駆動装置１８は、ワイヤを水平方向に移動する機能を備える。即ち、意匠壁駆動装置１８は、両意匠壁１７の自重を利用することにより、比較的小さな駆動力で、意匠壁１７を鉛直方向に移動させる機能を備える。
【００３１】
ここで、図５には、両意匠壁１７が示される。図５に示すように、意匠壁１７は、鏡面壁１９と通常壁２０とが鉛直方向に並んで連結されることにより形成される。かかる鏡面壁１９は、カゴ内側に鏡面を有している。一方、通常壁２０は、カゴ内側に鏡面とは異なる意匠面を有している。ここで、意匠壁１７の一方は、通常壁２０が鏡面壁１９の上側に配置されている。これに対し、意匠壁１７の他方は、通常壁２０が鏡面壁１９の下側に配置されている。
【００３２】
かかる構成の意匠壁１７は、通常時は、両意匠壁１７の通常壁２０が、一対の手摺１６の間から、カゴ内側に露出する位置に配置される。そして、ベビーカー用上昇乗場釦７又はベビーカー用下降乗場釦８により、ベビーカー用乗場呼びが登録された場合に、意匠壁駆動装置１８の駆動により、意匠壁１７の一方が上昇するとともに、意匠壁１７の他方が下降する。これにより、両意匠の鏡面壁１９が、一対の手摺１６の間から、カゴ内側に露出する位置に配置される。
【００３３】
次に、図６を用いて、ベビーカー同伴者がエレベータを利用する際の運転システムの動作を説明する。
図６はこの発明の実施の形態１におけるエレベータの運転システムの動作を説明するためのフローチャートである。
【００３４】
まず、ステップＳ１で、ベビーカー同伴者が、乗場１前に到着すると、ベビーカー用上昇乗場釦７又はベビーカー用下降乗場釦８によるベビーカー用乗場呼びの登録が有るか否かが判断される。ベビーカー用乗場呼びの登録が有る場合は、ステップＳ２に進む。ステップＳ２では、エレベータの運転が、ベビーカー運転に切り替わり、ステップＳ３に進む。
【００３５】
ステップＳ３では、乗場１側で、ベビーカー表示灯が点灯し、ステップＳ４に進む。ステップＳ４では、カゴ側で、アナウンス装置１５が鳴動し、ベビーカー運転に切り替わったことが報知される。これにより、カゴ内の一般の利用者がスペースを譲り、ベビーカー同伴者の乗車スペースが確保される。
【００３６】
その後、ステップＳ５に進み、ベビーカー用上昇乗場釦７又はベビーカー用下降乗場釦８によるベビーカー用乗場呼びに対応する該当階への停止決定がなされる。また、これと同時に、意匠壁１７が移動する。これにより、鏡面壁１９が、一対の手摺１６の間から、カゴ内側に露出する。
【００３７】
そして、ベビーカー同伴者がカゴに乗り込んだ後、ステップＳ６に進み、現状の移動方向への最終カゴ呼びに応答した後、ベビーカー表示灯が消灯する。また、これと同時に、意匠壁１７が通常位置に戻り、通常壁２０が、一対の手摺１６の間から、カゴ内側に露出する。その後、ステップＳ７に進み、エレベータの運転が、通常運転に復帰する。なお、ステップＳ１で、ベビーカー用乗場呼びの登録が無い場合は、ステップＳ７に進み、エレベータの運転は、通常運転に維持される。
【００３８】
以上で説明した実施の形態によれば、ベビーカー用上昇乗場釦７及び下降乗場釦８は、ベビーカーの突出部に対応する高さに設けられ、専用ベビーカーの突出部と接触したときに、ベビーカー同伴者に対応するベビーカー用乗場呼びを登録する。具体的には、ベビーカー用上昇乗場釦７及び下降乗場釦８は、専用ベビーカーの下部前方から突出したバンパーに対応する高さに設けられる。このため、ベビーカー同伴者は、ベビーカーのバンパーで、ベビーカー用上昇乗場釦７及び下降乗場釦８を押圧することができ、容易にベビーカー用乗場呼びを登録することができる。
【００３９】
また、ベビーカー用上昇乗場釦７は、乗場１の出入口一側の建築壁から乗場１手前側へ突出した第１突出壁３よりも乗場１の出入口側の建築壁下部に設けられ、専用ベビーカーのバンパーと接触することにより、上昇方向のベビーカー用乗場呼びを登録する。これに対し、ベビーカー用下降乗場釦８は、乗場１の出入口他側の建築壁から乗場１手前側へ突出した第２突出壁４よりも乗場１の出入口側の建築壁下部に設けられ、専用ベビーカーのバンパーと接触することにより、下降方向のベビーカー用乗場呼びを登録する。
【００４０】
このため、上昇方向への移動のために待機するベビーカー同伴者と下降方向への移動のために待機するベビーカー同伴者とが、それぞれ乗場１の出入口両側に待機する状態となる。これにより、ベビーカー同伴者等は、カゴへの乗車やカゴから降車を円滑に行うことができる。
【００４１】
さらに、ベビーカー用上昇乗場釦７及び下降乗場釦８は、建築壁下部に形成された凹部１０内に引っ込んで設けられる。このため、一般の利用者の足によるベビーカー用上昇乗場釦７及び下降乗場釦８の誤操作を防止することができる。
【００４２】
加えて、一般用上昇乗場釦５及び下降乗場釦６は、それぞれ第１及び第２突出壁３、４の乗場１手前側端部に設けられる。このため、通常の乗場呼びを容易に登録することができる。
【００４３】
また、意匠壁１７は、ベビーカー用乗場呼びが登録された場合に、カゴ内側に鏡面を露出させる。このため、専用ベビーカーに乗車した乳幼児の目線を広げることができる。即ち、ベビーカーに座った状態から自分の意思で動くことができない乳幼児をカゴ室内の密閉間、圧迫感、不安感から解放し、快適なエレベータ利用を実現することができる。さらに、これと同時に、カゴ内の利用者の注意喚起も期待できる。
【００４４】
また、意匠壁１７は、通常時は、一対の手摺１６の間から、通常壁２０をカゴ内側に露出させ、ベビーカー用乗場呼びの登録時は、一対の手摺１６の間から、鏡面壁１９をカゴ内側に露出させる。このため、カゴ内の利用者の手等が意匠壁１７の移動時に巻き込まれることを防止することができる。
【００４５】
さらに、表示装置９は、ベビーカー用乗場呼びが登録された場合に、ベビーカー用乗場呼びに対応したエレベータの運転に切り替わったことを知らせる表示を行う。このため、乗場１にいる一般の利用者は、表示装置９の表示と第１突出壁３又は第２突出壁４に沿って待機しているベビーカー同伴者とを見ることにより、エレベータの運転がベビーカー運転に切り替わったことを知らせることができる。
【００４６】
加えて、アナウンス装置１５は、ベビーカー用乗場呼びが登録された場合に、ベビーカー用乗場呼びに対応したエレベータの運転に切り替わったことを報知する。このため、カゴ内にいる一般の利用者に、エレベータの運転がベビーカー運転に切り替わったことを知らせることができる。
【００４７】
なお、ショッピングカートの突出部や病院に用意されている車椅子の突出部に対応した高さに乗場釦を設けて適用範囲を拡大すれば、様々な施設で、容易に乗場呼びを登録することができる。
【符号の説明】
【００４８】
１  乗場、  ２  乗場戸、  ３  第１突出壁、  ４  第２突出壁、
５  一般用上昇乗場釦、  ６  一般用下降乗場釦、  ７  ベビーカー用上昇乗場釦、
８  ベビーカー用下降乗場釦、  ９  表示装置、  １０  凹部、  １１  下側壁、  
１２  上側壁、  １３  乗場出入口側端部、  １４  乗場出入口側端部、
１５  アナウンス装置、  １６  手摺、  １７  意匠壁、  １８  意匠壁駆動装置、
１９  鏡面壁、  ２０  通常壁
【図１】
2011001183.tif 000003
【図２】
2011001183.tif 000004
【図３】
2011001183.tif 000005
【図４】
2011001183.tif 000006
【図５】
2011001183.tif 000007
【図６】
2011001183.tif 000008